(57)【要約】【課題】ペットの体形に合わせて選択した棺と供養具および載置台を１組として、それらをコンパクトに収納可能とするとともに、棺の処理によって地球環境が汚染されることを防止するようにしたペット用葬祭セットを提供する。【解決手段】透明な内蓋１３と内蓋覆設用の上蓋１４を設けた外装袋１１に、折りたたみ可能な枠体１２を内設して棺を形成し、載置台兼用の収納箱３０に供養具２０を載置して成るペット用葬祭セットであって、不使用時には、折りたたんだ枠体１２と外装袋１１および供養具２０を、収納箱３０内に収納する構成である。【選択図】図１
2005169045.tif 000002
【特許請求の範囲】
【請求項１】
透明な内蓋と内蓋覆設用の上蓋を設けた外装袋と、折りたたみ可能な枠体と、一組の供養具と、供養具の載置台を兼用する収納箱とを備え、不使用時には、折りたたんだ枠体と外装袋と供養具が収納箱内に収納され、また使用時には、外装袋に枠体を内設して棺を形成するとともに、供養具を収納箱の上面に並べることを特徴とするペット用葬祭セット。
【請求項２】
上記した外装袋を、土壌等の環境中における生分解性を有し、且つダイオキシンの発生を抑制可能な合成樹脂シートを用いて形成し、また上記した枠体を、可燃性素材を用いて形成したことを特徴とする請求項１に記載のペット用葬祭セット。
【請求項３】
上記した供養具を小型収納箱に収納するようにし、使用時には、その小型収納箱を経机等の代用とすることを特徴とする請求項１に記載のペット用葬祭セット。
【請求項４】
上記した載置台兼用の収納箱と小型収納箱に、不燃性繊維から成る掛布を被覆することを特徴とする請求項１または請求項３に記載のペット用葬祭セット。
【請求項５】
上記した枠体の内側に、色彩と模様の一方または両方を施したことを特徴とする請求項１に記載のペット用葬祭セット
【発明の詳細な説明】
【技術分野】
【０００１】  本発明は、ペットが死亡した場合に、一般家庭などで手軽に葬儀等を行うことができるペット用葬祭セットに関するものである。
【背景技術】
【０００２】  従来、収納箱と柩と低台を階段状に連設して葬儀壇とし、不使用時には、柩、低台、葬儀用備品を収納箱内に収納するようにしたペット用葬儀壇があった（例えば、特許文献１参照。）。
【特許文献１】特開平１０−１５１０６２号公報（第３−４頁、図７）
【発明の開示】
【発明が解決しようとする課題】
【０００３】  上記した特許文献１のペット用葬儀壇は、収納箱と低台の間に所定形状の柩を配置するようになっているが、葬儀壇全体のバランスを考慮すると柩の大きさが限定されてくるので、様々な大きさのペットに対応した様々な大きさの柩と、一定形状の収納箱等を任意に組み合わせることができないという欠点があるばかりでなく、柩を分解せずにそのまま収納箱に収納するようになっているので、商品を顧客へ納入する前段階において、柩を収納した大型収納箱の保管スペースを確保したり、高額な輸送コストを負担しなければならないという欠点があった。【０００４】  また特許文献１で使用される柩は平凡な箱状の規格品であるため、ペットを愛する家族の哀惜の情を形にして表すことができないという不具合があり、さらには各構成材がダンボールなどの可燃性材質で形成されているにも係わらず、蝋燭や線香等の火気に対する防災対策がなされていないという極めて重大な問題点があった。【０００５】  そこで本発明は、ペットの体形に合わせて選択した棺と、一式の供養具および載置台を適宜に組み合わせて１セットとし、またそれらをコンパクトに梱包することができるように構成するとともに、ペットを火葬または土葬する場合に、地球環境の汚染を防止するように配慮したペット用葬祭セットの提供を目的とするものである。【０００６】  さらに加えて本発明は、棺に意匠性を付与して、ペットを愛する家族（特に子供）の哀惜の情を形にして表すことができるようにするとともに、それによって心の痛手を少しでも癒すことができるように配慮し、また蝋燭や線香の火の不始末による火災の発生を防止することも併せて実現しようとするものである。
【課題を解決するための手段】
【０００７】  上記の目的を達成するために本発明は、透明な内蓋と内蓋覆設用の上蓋を備えた外装袋と、色彩または模様が施された折りたたみ可能な枠体と、経机代用の小型収納箱に収納された供養具と、供養具の載置台を兼用する収納箱とにより構成し、不使用時には、折りたたんだ枠体と外装袋と供養具が載置台兼用の収納箱に収納され、また使用時には、外装袋に枠体を内設して棺を形成するとともに、供養具が載置された収納箱の手前に小型収納箱を並べて設置し、さらにその収納箱および小型収納箱に、不燃性繊維から成る掛布を被覆するようにするものである。【０００８】  また本発明における外装袋は、土壌に対する生分解性を有し、且つダイオキシンの発生を抑制可能な合成樹脂シートを用いて形成されるとともに、本発明における枠体は、可燃性素材を用いて形成されるものである。
【発明の効果】
【０００９】  本発明のペット用葬祭セットは、任意な大きさの棺と、各宗教または宗派に応じた供養具および載置台を組み合わせて１組の葬祭セットとし、その葬祭セットを顧客に提供するようになっているので、ペットの葬儀等を専門業者に委託することなく、一般家庭でも簡単容易に行うことができるという顕著な効果があるばかりでなく、その葬祭セットがコンパクトに梱包されているので、広い保管スペースが不要で、輸送コストも節約することができるという効果もあり、さらには外装袋を形成する合成樹脂シートに生分解性およびダイオキシン対応性が付与されているので、棺を処理した際における地球環境への汚染を防止することができるという極めて有益な効果を奏するものである。なおまた本発明では、模様や色彩が施された枠体と銀色の外装袋を用いて棺を形成するようになっているので、意匠性が豊かであり、ペットを愛する家族（特に子供）が心を込めて供養をし、且つペットを失った心の傷を少しでも癒すことができるという特長があるとともに、可燃性の載置台や経机代用箱を不燃性の掛布で被覆するようになっているので、火災に対する懸念を払拭することができるという長所もある。さらにまた本発明品は、主として合成樹脂シートやダンボール材などを用いて製造されており、供養具なども容易に揃えることができるので、顧客に廉価な商品を提供することができるという利点がある。
【発明を実施するための最良の形態】
【００１０】  本発明は、外装袋と枠体と供養具が、載置台兼用の収納箱に収納された形態のペット用葬祭セットであって、使用時には、二重蓋付きの外装袋の内部に折りたたみ可能な枠体を挿入して、大略方形状の棺を形成するとともに、収納箱の上面に供養具を載置するものである。
【実施例１】
【００１１】  以下に、本発明の第１の実施例を図面に基づいて説明するが、本実施例は、図１に示すように、棺１０と、一組の供養具２０と、供養具２０の載置台を兼用する収納箱３０とを備えて成るもので、さらにその棺１０は、図２に示す外装袋１１と図３に示す枠体１２とにより形成されるものである。【００１２】  上記した外装袋１１は、不透明な銀色の合成樹脂シートを用いて、例えば布団袋状に形成されたもので、不使用時には適宜な厚さに折りたたみ可能となっており、またその低部の４ケ所には、棺を移動する際に使用する取手１６が取付けられている。さらにこの外装袋の開口部には、係着具１５（本実施例ではチャック）を介して、透明な合成樹脂シート製の内蓋１３が開閉自在に取付けられており、またその開口部の一端には、必要に応じて内蓋１３を覆設するための上蓋１４が、図示のような二重構造状に取付けられている。この上蓋１４は、外装袋１１の本体部から延設された形状で、本体部と同様な銀色の合成樹脂シートで形成されたものであり、また上記した内蓋１３は、棺内に納置されたペットを覗き見ることができるように配慮して設けられたものである。なお本実施例では係着具としてチャックを用いるようになっているが、面ファスナーや両面テープなどの他の係着具を使用しても差し支えなく、また内蓋１３および上蓋１４を本体部から切り離して、棺状に組み立てた後に取付けるような構造にしてもよい。さらにこの外装袋に施される色彩も銀色に限定されるものではない。【００１３】  また上記した外装袋１１は、一般的に市販されているビニールシートなどで形成してもよいが、本発明では、土壌等の環境中に対して生分解性を有し、且つダイオキシンの発生を抑制可能な性質を有する合成樹脂シート（例えばポリエチレンシート）によって形成するものである。したがって本発明においては、ペットの火葬および土葬による環境汚染を防止する工夫がなされているのである。なお前述した係着具についても、環境破壊の防止対策が講じられた公知のチャックテープなどを利用すると好適である。【００１４】  ダンボール材などの可燃性素材で形成された枠体１２は、図３に示すように、上面と底面が開放された断面口字状に形成されたもので、その適所に折り曲げ線を設けることによって、平板状に折りたたみ可能となっている。なおこの枠体１２を外装袋１１の内部に配置する場合には、両面テープなどを用いて両者を固定するようにするとよく、またペットを土の中に埋葬する場合は、この枠体を抜き出して、外装袋のみでペットの体を包むようにしてもよい。【００１５】  さらに上記した枠体１２は、模様等が施されていない市販のダンボールを使用してもよいが、本実施例では、ペットの葬儀にふさわしい色彩や愛らしい模様を枠体１２の内側に施すものとする。この際に、特に子供のいる家庭を対象とした場合には、枠体１２の内側全体に花柄の模様を施し、ペットがお花畑の中で眠っているように演出して、ペットを失った子供の心の痛手を少しでも慰めるようにするとよい。【００１６】  次に、仏式で供養する場合の供養具２０について説明する。本例では、人の供養をする場合に準じて、蝋燭立て２１、位牌２２、花立て２３、餌入れ２４、線香立て２５、水入れ２６を１組とするものであるが、この他に写真立てや香炉等の他の仏具を加えても差し支えない。なお神式やキリスト教式などで供養を行う場合は、それらの宗教に合わせた供養具を揃えるものとする。【００１７】  続いて、載置台兼用の収納箱３０について図１および図４を参照して説明する。この収納箱３０は、一般的に使用されているダンボール製の箱とほぼ同様のもので、前述した外装袋１１と枠体１２を折りたたんで収納し、併せて供養具２０も収納可能な大きさに形成されたものである。この場合において、ペットの葬儀にふさわしい図柄や色彩が施された収納箱を使用するようにしてもよいが、本実施例では、別途に用意した白い掛布３１で外周面を被覆するものとする。またこの掛布３１については、蝋燭や線香などのような火気を使用しない場合は市販の木綿や合成繊維製の布でもよいが、一般的には、蝋燭を立て、線香を手向ける場合が多いので、不燃性繊維から成る白い掛布３１を用いるようにする。【００１８】  本発明における第１の実施例は、上記のような外装袋１１、断面口字状の枠体１２、一組の供養具２０、収納箱３０および掛布３１を備えて成るものである。
【実施例２】
【００１９】  本発明の第２の実施例は、上述した第１の実施例のものにダンボール製の小型収納箱４０を加えた構成とするものである。この場合の小型収納箱４０は、不使用時に供養具２０を収納して載置台兼用の収納箱３０内に納められるのであるが、使用時には、図４に示すように、供養具を載置した収納箱３０の手前に並べられ、且つ不燃性繊維の掛布４１が被覆された状態で、経机の代用として使用されるものである。なおこの経机代用箱は、文字どおりの経机ではなく、写真台や焼香台などとして活用されるものである。
【実施例３】
【００２０】  本発明の第３の実施例は、外装袋１１に内設される枠体１２を、図５に示すような断面倒コ字状の枠体に変更するものである。すなわち図３に示す枠体１２には底が設けられておらず、体重の重いペットの棺としてはやや不適当であるので、例えば中型犬や大型犬などを対象とする場合には、本実施例の枠体を使用するのが好適である。なおペットの体重が重いためにダンボール板では対応できない場合には、木製の枠体を使用するか、または別途な補強材を組み合わせるものとする。【００２１】  本発明のペット用葬祭セットは以上に説明したように、外装袋１１、枠体１２、供養具２０、収納箱３０および掛布３１を１セットとして構成されたもので、不使用時には、外装袋１１と枠体１２を折りたたみ、供養具２０と併せて収納箱３０に収納されるものである。また使用時には、外装袋１１の内部に枠体１２を挿入して大略方形状の棺を形成するとともに、掛布３１で被覆した載置台兼用の収納箱３０に供養具２０を並べて成るものである。そしてペットの死体を納置した後に、係着具１５を用いて内蓋１３を閉め、また棺を移送する場合などには上蓋１４で内蓋１３を覆うようにするものである。また必要に応じて小型収納箱４０を経机の代用として追加したり、ペットの体形に応じて枠体１２を変更することも可能である。なお棺を送り出した後には供養具や載置台が残るので、ペットの供養を日常的に行うことも可能である。【００２２】  また本発明では、棺と供養具と載置台を分離させた形態となっているので、例えばペットの大きさに対応する３〜５種類の棺（すなわち外装袋と枠体）と１種類または２種類の収納箱を適宜に組み合わせることが可能であり、さらに使用する枠体も、図３および図５に示したものに限定されないので、他の適宜な形状の枠体を採用してもよいことは勿論である。なお棺を組み立ててペットを納置する際に、別体の敷き板の上に棺を置くようにするとさらに好適である。
【図面の簡単な説明】
【００２３】
【図１】実施例１のペット用葬祭セットを示す斜視図である。
【図２】図１の外装袋を示す斜視図である。
【図３】図１の枠体を示す斜視図である。
【図４】実施例２の小型収納箱の使用状態を示す要部断面図である。
【図５】実施例３の枠体を示す斜視図である。
【符号の説明】
【００２４】１０  棺
１１  外装袋
１２  枠体
１３  内蓋
１４  上蓋
２０  供養具
３０  収納箱
４０  小型収納箱
３１，４１  掛布
【図１】
2005169045.tif 000003
【図２】
2005169045.tif 000004
【図３】
2005169045.tif 000005
【図４】
2005169045.tif 000006
【図５】
2005169045.tif 000007